(57)【要約】【課題】本体をコンパクトに形成するとともに曜日の確認を迅速に行うことができる万年カレンダーを提供する。【解決手段】円弧状に形成されて１週間の各曜日を表示する曜日表示窓５およびこの曜日表示窓５の下部に配置された日付表示部６を有する日付表示板２と、日付表示板２の裏側に配置されて日付表示板２に回転可能に設けられ、曜日表示窓５に重なる位置に曜日を周方向に順に記載した曜日表示板３とを備えた万年カレンダー１において、日付表示部６の各日付を１週間ごとに複数行に分けて配置し、各行を曜日表示窓５に沿って円弧状に配置したものであり、日付表示部と曜日表示窓との間の隙間が小さくなり、曜日と日付を対応させるときの視線移動距離が小さくなる。【選択図】          図１
2005024691.tif 000002
【特許請求の範囲】
【請求項１】
円弧状に形成されて１週間の各曜日を表示する曜日表示窓およびこの曜日表示窓の下部に配置された日付表示部を有する日付表示板と、
前記日付表示板の裏側に配置されて前記日付表示板に回転可能に設けられ、前記曜日表示窓に重なる位置に曜日を周方向に順に記載した曜日表示板とを備えた万年カレンダーにおいて、
前記日付表示部の各日付は１週間ごとに複数行に分けて配置され、各行は前記曜日表示窓に沿って円弧状に配置されていることを特徴とする万年カレンダー。
【請求項２】
前記日付表示部の各日付は、曜日ごとに複数列に並べられるとともに文字の向きを揃えて配置され、各列は直線状かつ平行に配置されていることを特徴とする請求項１に記載の万年カレンダー。
【請求項３】
前記日付表示部の円弧状に配置された各行の半径は、前記曜日表示窓と同じ半径であることを特徴とする請求項１または２に記載の万年カレンダー。
【請求項４】
前記日付表示板は、ホワイトボードであり、前記曜日表示窓は、前記ホワイトボードに形成した貫通孔に透明板を設けたものであることを特徴とする請求項１から３のいずれかの項に記載の万年カレンダー。
【請求項５】
前記日付表示部の下部には、円弧状の曜日調整用窓が形成されているとともにこの曜日調整用窓に沿って年度表示部が設けられ、
この年度表示部には、貼り替え可能なラベルが設けられ、
前記曜日表示板には、前記曜日調整用窓に沿って曜日調整用の月が表示されていることを特徴とする請求項１から４のいずれかの項に記載の万年カレンダー。
【請求項６】
前記曜日表示板の裏面には、突起が形成されていることを特徴とする請求項１から５のいずれかの項に記載の万年カレンダー。
【発明の詳細な説明】
【０００１】
【発明の属する技術分野】
本発明は、１ヶ月の各日付と曜日を相対的にずらして対応させ、特定の月のカレンダーを表示する万年カレンダーに関する。
【０００２】
【従来の技術】
従来、円形の万年カレンダーとして、例えば特許文献１に示すものがある。この万年カレンダーは、円形の曜日盤と、これより直径が小さい日付盤とを回転可能に固定し、日付と曜日を合わせて使用するものである。日付および曜日はそれぞれ円状に配置されている。
【０００３】
また、特許文献２の万年カレンダーは、日付を１週間ごとに複数行に並べて矩形状に配置した矩形の年月表示欄を有する日付表示盤と、円形の曜日検索盤とを回転可能に設けたものである。年月表示欄と曜日表示欄との間の隙間には、日付と曜日が対応するように接続線が記入されている。
【０００４】
万年カレンダーを使用するときには、その月の日付と曜日の一カ所を合わせると他の日付と曜日が対応する。そして、曜日を知りたい日の日付を見て、接続線をたどって対応する曜日を確認する。
【０００５】
【特許文献１】
実開昭６３−１５０９７５号公報  （第２−４頁、第１図）
【特許文献２】
実用新案登録第３０７１１７２号公報  （第２−９頁、第１図）
【０００６】
【発明が解決しようとする課題】
しかしながら、特許文献１の万年カレンダーは、日付を円状に配置しているので、視認性を高めるためには、円の直径を大きくしなければならず、本体が大きくなり使い勝手が悪くなるという問題がある。
【０００７】
また、特許文献２の万年カレンダーは、年月表示欄と曜日表示欄との間の隙間を接続線で連絡させているが、曜日と日付の距離が離れているため、視線の移動距離が大きく、曜日の確認に時間がかかるという問題がある。
【０００８】
そこで本発明が解決しようとする課題は、本体をコンパクトに形成するとともに曜日の確認を迅速に行うことができる万年カレンダーを提供することにある。
【０００９】
【課題を解決するための手段】
前記課題を解決するため、本発明の万年カレンダーは、円弧状に形成されて１週間の各曜日を表示する曜日表示窓およびこの曜日表示窓の下部に配置された日付表示部を有する日付表示板と、前記日付表示板の裏側に配置されて前記日付表示板に回転可能に設けられ、前記曜日表示窓に重なる位置に曜日を周方向に順に記載した曜日表示板とを備えた万年カレンダーにおいて、前記日付表示部の各日付は１週間ごとに複数行に分けて配置され、各行は前記曜日表示窓に沿って円弧状に配置されていることを特徴とする。
【００１０】
曜日表示板および日付表示板は、例えば、紙、木、プラスチック、金属、セラミックスまたはこれらを積層したものを用いて形成することができる。
【００１１】
曜日表示板は、円形に形成することが好ましいが、矩形や三角形等の他の形状に形成することも可能である。曜日は、日本語で、「日」、「月」、「火」、「水」、「木」、「金」および「土」の７つを順に記載することができ、また、「Ｍｏｎｄａｙ」等の英語や他の外国語を使用することもでき、また、「Ｍｏ」や「Ｍｏｎ」等の略語で記載してもよい。また、色は任意であり、日曜日を赤に着色したり、土曜日を青に着色することも可能である。
【００１２】
日付表示板の外形は任意で、例えば、矩形や円形に形成することができる。日付表示部は、日付表示板に日付を印刷してもよく、また、日付を印刷したラベルを貼着してもよい。また、マグネットシートや粘着力が弱いシート等に日付を印刷し、これを日付表示板に貼着することも可能である。
【００１３】
曜日表示板を日付表示板に回転可能に設けるには、例えば、軸受やはとめ等を用いて固定することができる。また、曜日表示板の外周を保持する構造にすることも可能である。
【００１４】
日付表示部の各行は、曜日表示窓に沿って円弧状に配置されているので、日付表示部と曜日表示窓との間の隙間が小さくなり、曜日と日付を対応させるときの視線移動距離が小さくなる。
【００１５】
前記日付表示部の各日付を、曜日ごとに複数列に並べるとともに文字の向きを揃えて配置し、各列を直線状かつ平行に配置すると、日付と曜日の対応を明確にすることができる。文字の向きとは、文字を記載するときに基準となる縦方向または横方向をいう。
【００１６】
曜日表示板は回転するため上下方向が定まっていない。従って、曜日表示窓内に見える曜日の最大傾斜角度を小さくするためには、曜日を表示する文字の縦方向を、曜日表示板の半径方向に合わせることが好ましい。
一方、日付を表示する文字は、回転しないため、予め方向を定めておくことができる。日付表示部の各行は、円弧状に配置されているが、日付を表示する各文字は曜日を表示する文字に合わせて傾斜させる必要はなく、万年カレンダーを設置するときの方向に合わせて文字の方向を定めることができる。
【００１７】
前記日付表示部の円弧状に配置された各行の半径を、前記曜日表示窓と同じ半径にすると、各行の上下方向の文字の間隔と、隣接する文字に対する配置位置が一定になる。
【００１８】
前記日付表示板を、ホワイトボードとし、前記曜日表示窓を、前記ホワイトボードに形成した貫通孔に透明板を設けたものとすると、万年カレンダーの余白に文字を書き込むことができるとともに、曜日表示板の汚損を防止することができる。
【００１９】
ホワイトボードとは、表面に消去可能な文字を記載できるものをいい、例えば、基材の表面に、ホーロー仕上げのホーローホワイトや焼き付け塗装のスチールホワイトを設けたもの等をいう。ホーローホワイトは、基材の表面にホーローガラス質の物質を５００℃〜８００℃程度で焼き付けたものをいい、スチールホワイトは、基材に黒板用ホワイト塗料を塗布して２００〜３００℃で焼き付けたものをいう。
【００２０】
ホワイトボードの表面には、アルコール系やケトン系の塗料を用いたマーカによって文字を記載することができ、イレーザーで拭き取ることによって簡単に消去することができる。また、ホワイトボードの表面には、マグネットシート等の磁石を着脱可能に取り付けることができる。
【００２１】
表示窓に設ける透明板は、マーカによって文字を記載し、イレーザーで拭き取り消去することが可能な材質で形成することが好ましい。この透明板は、曜日表示板の表面に設けてもよく、また、日付表示板の裏面に設けてもよく、また、曜日表示板と日付表示板との間に挟んで固定するだけでもよい。透明板を設けることによって、曜日表示板の回転時の摺動抵抗を低減することができる。
【００２２】
前記日付表示部の下部に、円弧状の曜日調整用窓を形成するとともにこの曜日調整用窓に沿って年度表示部を設け、この年度表示部に、貼り替え可能なラベルを設け、前記曜日表示板に、前記曜日調整用窓に沿って曜日調整用の月を表示させると、曜日表示板を回転させて、曜日調整用の月を予め設定した年度に対応させることによって、曜日と日付を合わせることができる。
【００２３】
年度表示部の更新頻度は低いので、ラベルを用いて上書きする。ラベルを貼り替えることによって、製品が破損するまで万年カレンダーを使用することができる。また、ラベルを用いることによって、年度表示部を小さく形成することができる。
【００２４】
前記曜日表示板の裏面に、突起を形成すると、曜日表示板を回転させるときのハンドルとして用いることができ、回転操作を小さい力で行うことができる。
【００２５】
【発明の実施の形態】
以下、本発明の実施の形態について説明する。
（第１の実施の形態）
図１は本発明の第１の実施の形態の万年カレンダーの正面図、図２は同万年カレンダーの側面図である。図１、図２に示すように、本発明の万年カレンダー１は、表側に設けられた日付表示板２と、日付表示板２の裏側に回転可能に設けられた曜日表示板３と、日付表示板２の裏面に貼着された透明板４とを備えている。なお、本実施の形態においては、万年カレンダーを正面視したときの上下左右の方向をそれぞれ上側、下側、左側および右側として説明する。
【００２６】
日付表示板２は、上側に凸となる円弧状に形成されて１週間の各曜日を表示する曜日表示窓５と、曜日表示窓５の下部に配置された日付表示部６とを有している。
【００２７】
曜日表示窓５は、日付表示板２に形成された貫通孔と、透明板４とによって構成されている。曜日表示窓５は、曜日表示板３の回転中心に対して、中心角９０°の範囲内に配置され、半径方向の幅を一定にしている。
【００２８】
日付表示部６の各日付は１週間すなわち７日ごとに５行に分けて配置され、各行は曜日表示窓５に沿って円弧状に配置されている。各行の各文字の中心を結んだ円弧状の中心線の半径は、曜日表示窓５の下側の枠線と同じ大きさにそれぞれ設定されている。
【００２９】
日付表示部６の各日付は、曜日ごとに７列に並べられるとともに文字の向きを揃えて配置されている。例えば、左端の列には、「１」、「８」、「１５」、「２２」および「２９」の日付が配置されている。文字の向きは、文字の上下方向が日付表示板２の上下方向と同じになるようにしている。各列は、上下に直線状に並べられ、それぞれ平行となるように配置されている。各文字の大きさは同じ大きさである。
【００３０】
日付表示部６の下部には、円弧状の曜日調整用窓７が形成されている。曜日調整用窓７は、曜日表示板３の回転中心に対して、中心角９０°の範囲内に配置され、半径方向の幅を一定にしている。また、曜日表示窓５よりも曜日表示板３の回転中心に近接して配置されている。
【００３１】
曜日調整用窓７の下部には、曜日調整用窓７に沿って円弧状に年度表示部１５が設けられている。この年度表示部１５には、貼り替え可能なラベル８〜１４が設けられている。各ラベル８〜１４に記載された数字は年を表し、ラベル８には「２１」、ラベル９には「１６」、ラベル１０には「１７」、ラベル１１には「１８」、ラベル１２には「１９」、ラベル１３には「２５」、ラベル１４には「１５」と記載されている。例えば、平成１５年が終了した後には、ラベル１４を剥がし「２０」と記載された他のラベルを貼着する。閏年を表すラベルの数字は赤色で記載されており、例えば、ラベル９の「１６」という数字は赤字である。
【００３２】
貼り替え用のラベルは、貼り替え位置を示す表とともに別の場所に保管されているが、日付表示板２や曜日表示板３の裏側の余白に設けておくように構成することも可能である。
【００３３】
図３は、曜日表示板の正面図である。図３に示すように、曜日表示板３は、円形に形成され、中心位置に対して所定角度おきに２８等分した表示領域の最外周部に、各曜日をそれぞれ表示し、その内側に曜日調整用の月を表示している。各曜日は、曜日表示窓３に重なる位置に配置され、周方向に順に記載されている。また、各月は、曜日調整用窓７に重なる位置に配置されている。
【００３４】
曜日の表示は、日本語と英語の略字で表示され、例えば、日曜日は、上段に「日」下段に「ＳＵＮ」と表示されている。また、月曜日から土曜日は黒色で表示されているが、日曜日は赤色で表示されている。
【００３５】
月の表示は、数字「１」〜「１２」が記載されているが、数字「１」と数字「２」は、黒色と赤色の２種類、数字「３」〜数字「１２」の数字は黒色のみで記載されている。図３に二点鎖線で囲んで表示した赤色の数字は、閏年の１月および２月のカレンダーを表示するときに使用する。
【００３６】
図１，図２に示すように、日付表示板２と曜日表示板３とは、鳩目１６によって回転可能に接続されている。なお、鳩目１６の代わりに軸受等の支持部材を用いることも可能である。
【００３７】
鳩目１６の表側の端部には、日付表示板２と同色のキャップ部材１７が設けられている。キャップ部材１７は、例えば、鳩目１６に貼着されるシールとすることができる。
【００３８】
曜日表示板３の裏面には、半径方向に伸びる棒状の突起１８が形成されている。突起１８は、１８０°おきの２カ所に設けられているが、３以上の箇所に設けることも可能である。突起１８を棒状に形成することによって、指でつまむことができる箇所が増え、曜日表示板３の回転を容易に行うことができる。
【００３９】
次に、万年カレンダーの表示状態について説明する。２月を除いた各月の日数は、３０日または３１日まである。これを７で除したときの余りは２または３なので、曜日は２つまたは３つずれる。また、２月は、平年は２８日、閏年では２９日になる。従って、平年は、２月と３月の曜日は同じで、閏年では曜日が１つずれる。
【００４０】
図３に示すように、各月を示す数字はこの法則に従って並んでいる。例えば、１月の日数は３１日まであるので、年度表示部１５の黒色の数字「２」は、黒色の数字「１」から時計廻りに３つずれた位置に配置されている。また、赤色の数字「２」も、赤色の数字「１」から時計廻りに３つずれた位置に配置されている。
【００４１】
黒色の数字「３」は、黒色の数字「２」から時計廻りに７つずれた位置に配置されている。これは同じ曜日を表している。また、黒色の数字「３」は、赤色の数字「２」から時計廻りに８つずれた位置に配置されている。これは１つずれた曜日と同じ曜日を表している。
【００４２】
数字「４」〜数字「１２」はすべて黒色で、平年も閏年も曜日のずれは２つまたは３つずれるので、各数字の間隔は、２または３（またはこれに７の倍数を加えたもの）となる。
【００４３】
閏年となるのは、原則的に西暦が４で割り切れる年である。例外として、４００で割り切れる年を除いて、１００で割り切れる年は閏年とならない。例えば、西暦１９００年は平年で、西暦２０００年は閏年で、西暦２１００年は平年となる。
【００４４】
閏年の１月１日の曜日は、前の年の１月１日の曜日より１つ後の曜日になり、閏年の次の年の１月１日は、閏年の１月１日の曜日より２つ後の曜日となる。
【００４５】
一方、閏年の３月１日の曜日は、前の年の３月１日の曜日より２つ後の曜日になり、閏年の次の年の３月１日は、閏年の３月１日の曜日より１つ後の曜日となる。
【００４６】
例えば、西暦２００３年（平年）、西暦２００４年（閏年）、西暦２００５年（平年）の１月１日の曜日は、それぞれ水曜日、木曜日、土曜日となり、３月１日の曜日は、それぞれ土曜日、月曜日、火曜日となる。このように閏年の１月および２月のグループ、または３月から１２月のグループのいずれか一方は、平年のカレンダーに対して曜日を１つずらして表示することが必要となる。
【００４７】
図１、図３に示すように、年度表示部１５の数字の並びは、閏年の右に平年を３年続けて配置し、１つ飛ばして次の閏年を配置するようにしている。
【００４８】
例えば、平成１６年は閏年なので、数字「１６」の右に数字「１７」、数字「１８」、数字「１９」が並び、次の閏年を表す数字「２０」は、一番右側にあるラベル１４の位置になる。一番右側のラベル１４の位置からずれた場合は、一番左側のラベル８の位置になる。すなわち、数字「２０」の次の数字「２１」は一番左側に配置され、数字「２２」、数字「２３」がこれに続く。
【００４９】
一方、日付表示板２の赤色の数字「１」と数字「２」は、黒色の数字「１」と数字「２」より反時計廻りに１つずらした位置に配置されている。従って、年度表示部１５には、閏年を表す赤色の数字から４年分の数字を連続して表示することができ、このルールを覚えておくことによって、貼り替え位置を示す表がなくてもラベルの更新を行うことができる。
【００５０】
次に、万年カレンダー１の使用方法について説明する。万年カレンダー１を使用するときには、日付表示板２を一方の手で保持し、他方の手で曜日表示板３の突起１８をつまんで回転させる。そして、日付表示板２の年度表示部１５の数字と、曜日調整用窓７の数字とを合わせる。すると、曜日表示窓５から視認できる
【００５１】
例えば、平成１５年の６月のカレンダーは、図１に示す状態となる。すなわち曜日表示窓５から視認できる曜日表示板３の曜日は、一番左側に「日」および「ＳＵＮ」が表示される。すなわちこれに対応する日付表示部６の日付「１」の列が日曜日になる。
【００５２】
円弧状に配置された「日」〜「土」の表示の下側には、日付「１」〜日付「７」を含む各列が同じ半径の円弧状に並んでいる。従って、「日」〜「土」の表示と日付「１」〜日付「７」との間の隙間をほとんど無くして近接配置することができるので、所定の日付と曜日を確認するときの視点の移動距離が短くなり、曜日の確認を短時間に行うことができる。
【００５３】
本実施の形態においては、各日付の列方向の中心線は、曜日表示窓５内の英語の各表示「ＳＵＮ」〜「ＳＡＴ」の上端ラインの中心点に合わせて配置されているが、下端ラインの中心点に合わせて配置してもよい。また、日本語の表示「日」〜「土」の中心に合わせることも可能である。
【００５４】
（第２の実施の形態）
図４は、本発明の第２の実施の形態の万年カレンダーの正面図である。第２の実施の形態の万年カレンダー２０は、第１の実施の形態の万年カレンダー１の日付表示板２に記載事項を追加した日付表示板２１を用いたものである。
【００５５】
日付表示板２１の曜日表示窓５の左側、上側および右側には、曜日強調ライン２２が形成されている。また、年度表示部１５を含む曜日調整用窓７の周囲には、調整窓強調ライン２３が形成されている。曜日強調ライン２２と調整窓強調ライン２３は、鳩目１６を挟んで上下に円弧状に形成され、万年カレンダー２０のデザイン性を高めている。また、曜日強調ライン２２と調整窓強調ライン２３は、それぞれ肌色および青色に着色されているが、他の色を組合せてもよい。
【００５６】
曜日強調ライン２２は、曜日表示窓５の下側には設けられておらず、日付「１」〜日付「７」を曜日表示窓５に近接配置しているので、所定の日付と曜日を確認するときの視点の移動距離が短くなり、曜日の確認を短時間に行うことができる。
【００５７】
また、年度表示部１５の左下には、国民の祝日を表示した祝日表示部２４が設けられ、祝日表示部２４の下側には、大の月と小の月がそれぞれ記載されている。大の月とは、１ヶ月の日数が３１日まである月をいい、小の月は１ヶ月の日数が３０日以下である月をいう。
【００５８】
（第３の実施の形態）
図５は、本発明の第３の実施の形態の万年カレンダーの正面図である。図５に示すように、第３の実施の形態の万年カレンダー２５は、第２の実施の形態の万年カレンダー２５の日付表示板２の材質をホワイトボードに代えた日付表示板２６を用いたものである。
【００５９】
日付表示板２６は、曜日表示板３を右側に設け、左側を月間予定表として用いている。月間予定表は、１〜１５の数字が１列に記載されたマグネットシート２７と、１６〜３１の数字が１列に記載されたマグネットシート２８とを備え、その他に月を表示したり、各予定を表示したマグネットシート２９〜３２を使用することができる。また、円環状磁石３３および丸形磁石３４を用いて、日付表示部６の所定の日付に印を付けることも可能である。
【００６０】
日付表示板２６の裏面には、段ボール紙を用いた補強板（図示せず）が設けられている。日付表示板２６および補強板は、同じ大きさに形成され、周囲をプラスチック製の保持枠３５で固定されている。
【００６１】
補強板は、曜日表示板３の裏側に、円形の貫通孔（図示せず）を形成している。貫通孔の直径は、曜日表示板３の直径よりも少し小さく形成されている。日付表示部の各行が曜日表示窓に沿って円弧状に配置されているので、所定の日付と曜日を確認するときの視点の移動距離が短くなり、曜日の確認を短時間に行うことができる。
【００６２】
【発明の効果】
本発明によれば次の効果を奏する。
（１）日付表示部の各日付を１週間ごとに複数行に分けて配置し、各行を曜日表示窓に沿って円弧状に配置したので、日付表示部と曜日表示窓との間の隙間が小さくなり、曜日と日付を対応させるときの視線移動距離が小さくなり、本体をコンパクトに形成するとともに曜日の確認を迅速に行うことができる。
（２）日付表示部の各日付を、曜日ごとに複数列に並べるとともに文字の向きを揃えて配置し、各列を直線状かつ平行に配置すると、日付と曜日の対応を明確にすることができ、曜日の確認を迅速に行うことができる。
（３）日付表示部の円弧状に配置された各行の半径を、曜日表示窓と同じ半径にすると、上下方向の文字の間隔と、隣接する文字に対する配置位置が一定になり、視認性を向上させて曜日の確認を迅速に行うことができる。
（４）日付表示板をホワイトボードとし、曜日表示窓をホワイトボードに形成した貫通孔に透明板を設けたものとすると、万年カレンダーの余白に文字を書き込むことができるとともに、曜日表示板の汚損を防止することができ、万年カレンダーの寿命を維持しながら機能を向上させることができる。
（５）日付表示部の下部に、円弧状の曜日調整用窓を形成するとともにこの曜日調整用窓に沿って年度表示部を設け、この年度表示部に、貼り替え可能なラベルを設け、曜日表示板に、曜日調整用窓に沿って曜日調整用の月を表示させると、万年カレンダーを破損するまで使用することができる。また、ラベルを用いることによって、年度表示部を小さく形成することができる。
（６）曜日表示板の裏面に、突起を形成すると、曜日表示板を回転させるときのハンドルとして用いることができ、回転操作を小さい力で行うことができ、製品の操作性が向上する。
【図面の簡単な説明】
【図１】本発明の第１の実施の形態の万年カレンダーを示す正面図である。
【図２】同万年カレンダーの側面図である。
【図３】曜日表示板の正面図である。
【図４】本発明の第２の実施の形態の万年カレンダーの正面図である。
【図５】本発明の第３の実施の形態の万年カレンダーの正面図である。
【符号の説明】
１  万年カレンダー
２  日付表示板
３  曜日表示板
４  透明板
５  曜日表示窓
６  日付表示部
７  曜日調整用窓
８〜１４  ラベル
１５  年度表示部
１６  鳩目
１７  キャップ部材
１８  突起
２０  万年カレンダー
２１  日付表示板
２２  曜日強調ライン
２３  調整窓強調ライン
２４  祝日表示部
２５  万年カレンダー
２６  日付表示板
２７  マグネットシート
２８  マグネットシート
２９〜３２  マグネットシート
３３  円環状磁石
３４  丸形磁石
３５  保持枠
【図１】
2005024691.tif 000003
【図２】
2005024691.tif 000004
【図３】
2005024691.tif 000005
【図４】
2005024691.tif 000006
【図５】
2005024691.tif 000007